(57)【特許請求の範囲】
【請求項１】
外容器の中に内容器を納め、外容器と内容器を単一の結合部材により結合し、
外容器に封着された結合部材が外側中間筒部の内周にねじ部を備え、
外容器のための外ノズルを上記ねじ部の奥側に螺着し、
外容器のための外ノズルと内容器のための吐出口を覆うキャップを上記ねじ部の手前側に螺着してなる容器。
【請求項２】
前記結合部材が外側中間筒部の内側につながる内側中間筒部を有し、内側中間筒部の内周に備えたねじ部に内容器を螺着してなる請求項１に記載の容器。
【請求項３】
前記結合部材が内側中間筒部の先端側にノズル筒部を設け、ノズル筒部に内容器のための吐出口を備える請求項２に記載の容器。
【請求項４】
前記結合部材がノズル筒部の内周に流通ガイドを備える請求項３に記載の容器。
【発明の詳細な説明】
【０００１】
【発明の属する技術分野】
本発明は、液体、粉体等の剤を吐出させる容器に関する。
【０００２】
【従来の技術】
従来、外容器の中に内容器を納めた容器では、外容器に結合した外ノズルと、内容器に結合した内ノズルとを互いに嵌合している。
【０００３】
【発明が解決しようとする課題】
外容器と内容器の間に介在してそれらを結合する結合部材が、外ノズルと内ノズルの互いに嵌合する２部材からなる。このため、外ノズルと内ノズルの嵌合力が弱いと、容器の輸送中又は使用中に、両ノズルの嵌合が外れて２分し、内容器が外容器から分離して脱落する。
【０００４】
本発明の課題は、外容器に内容器を結合した容器において、内容器の脱落を防止することにある。
【０００５】
【課題を解決するための手段】
請求項１の発明は、外容器の中に内容器を納め、外容器と内容器を単一の結合部材により結合し、外容器に封着された結合部材が外側中間筒部の内周にねじ部を備え、外容器のための外ノズルを上記ねじ部の奥側に螺着し、外容器のための外ノズルと内容器のための吐出口を覆うキャップを上記ねじ部の手前側に螺着してなる容器である。
【０００６】
【発明の実施の形態】
（第１実施形態）（図１、図２）
容器１０は、混ざると反応するような性質の異なる２剤Ａ、Ｂ（例えば洗剤又はアルカリ剤、酸素系漂白剤）を同時に吐出させる２剤吐出容器であり、図１、図２に示す如く、一端開口の外容器１１の中に一端開口の内容器２１を納め、外容器１１と内容器２１を単一の結合部材３０により結合している。即ち、外容器１１の開口部の打ち込み部１１Ａには結合部材３０の打ち込み部３１が打ち込み結合して封着し、内容器２１の開口部のねじ部２１Ａには結合部材３０のねじ部３２がねじ込み結合して封着している。結合部材３０は内ノズル３３を一体形成されて備え、内ノズル３３は内容器２１に装填してある剤を細流化して吐出するラッパ状の吐出口３４を備える。また、結合部材３０の内ノズル３３の周囲には外ノズル４０が同軸的に組付けられ、結合部材３０のねじ部３５に外ノズル４０のねじ部４１をねじ込み結合している。外ノズル４０は外容器１１に装填してある剤を、結合部材３０に設けた連通孔３６経由で細流化して吐出するラッパ状の吐出口４２を備える。また、結合部材３０の内ノズル３３、外ノズル４０の周囲には計量キャップ５０が着脱可能とされ、結合部材３０のねじ部３５に計量キャップ５０のねじ部５１をねじ込み結合している。そして、外容器１１と内容器２１は互いに性質の異なる２剤Ａ、Ｂのそれぞれを装填され、容器１０の傾動により、それらの剤Ａ、Ｂを外ノズル４０の吐出口４２と内ノズル３３の吐出口３４から同時に吐出させ、計量キャップ５０にて混ぜ合せできる。
【０００７】
外容器１１、内容器２１、結合部材３０、外ノズル４０、計量キャップ５０は樹脂成形品からなる。結合部材３０は、打ち込み筒部３０Ａ、外側中間筒部３０Ｂ、内側中間筒部３０Ｃ、ノズル筒部３０Ｄを有する筒体とされ、打ち込み筒部３０Ａに外容器１１（打ち込み部１１Ａ）への打ち込み部３１を備え、外側中間筒部３０Ｂに外ノズル４０と計量キャップ５０のためのねじ部３５を備え、内側中間筒部３０Ｃに内容器２１（ねじ部２１Ａ）へのねじ部３２と連通孔３６を備え、ノズル筒部３０Ｄの先端に吐出口３４を備え、ノズル筒部３０Ｄの内周に十字状の流通ガイド３７と、内容器２１に密着するシール部３８を備える。また、外ノズル４０は、ねじ込み筒部４０Ａ、ノズル筒部４０Ｂを有する筒体とされ、ねじ込み筒部４０Ａには結合部材３０（ねじ部３５）へのねじ部４１を備え、ノズル筒部４０Ｂの先端に吐出口４２を備える。また、計量キャップ５０は、有天筒状をなし、基端外周に結合部材３０（ねじ部３５）へのねじ部５１を備え、中間外周に結合部材３０に封着するフランジ部５２を備え、天井裏側に外ノズル４０の吐出口４２に封着するシール部５３、内ノズル３３の吐出口３４に封着するシール部５４を備える。
【０００８】
ここで、容器１０は、外ノズル４０と内ノズル３３を前述の如くの筒体とし、それらの中心軸を同心状に配置している。外ノズル４０と内ノズル３３の環状間隙が外容器１１の剤Ａのための流路となる。
【０００９】
また、容器１０は、内ノズル３３の吐出口３４を軸方向で外ノズル４０の吐出口４２より外方に突出させ、外ノズル４０の吐出口４２と内ノズル３３の吐出口３４のそれぞれを外方に開くラッパ形状としている。
【００１０】
また、容器１０は、外容器１１と内容器２１も筒体とし、それらの中心軸を同心状に配置している。
【００１１】
容器１０は以下の如くに組立てられる。
(1)結合部材３０と外ノズル４０と計量キャップ５０の組立体６０を作成する。結合部材３０の外側中間筒部３０Ｂと内側中間筒部３０Ｃの環状凹部に外ノズル４０のねじ込み筒部４０Ａを差し込み、外ノズル４０のねじ部４１を結合部材３０のねじ部３５に螺着する。更に、結合部材３０の外側中間筒部３０Ｂのねじ部３５に計量キャップ５０のねじ部５１を螺着し、計量キャップ５０の基端で外ノズル４０のねじ込み筒部４０Ａを結合部材３０との間に挟着し、計量キャップ５０により外ノズル４０と内ノズル３３を封止する。
【００１２】
(2)内容器２１に剤Ｂを充填する。そして、内容器２１のねじ部２１Ａに、上述(1)の組立体６０を構成している結合部材３０の内側中間筒部３０Ｃのねじ部３２をねじ結合する。
【００１３】
(3)外容器１１に剤Ａを充填する。そして、外容器１１の打ち込み部１１Ａに、上述(2)の外容器２１に結合された組立体６０を構成している結合部材３０の打ち込み筒部３０Ａの打ち込み部３１を打ち込み結合する。
【００１４】
本実施形態によれば以下の作用がある。
(1)外容器１１と内容器２１を単一の結合部材３０により結合したものであり、結合部材３０が２分することがないから、外容器１１と内容器２１が結合部材３０の２分によって分離することがなく、内容器２１の脱落を防止できる。
【００１５】
(2)結合部材３０が内容器２１からの吐出口３４と外容器１１からの吐出口４２を備えたから、容器１０を傾けるだけでそれらの内容液を同時に吐出させることができる。
【００１６】
(3)内容器２１の吐出口３４をラッパ状とすることにより、内容器２１の吐出口３４の液切れ性が良くなるし、外容器１１の液が内容器２１のラッパ状の吐出口３４の外側にあたってその内側への回り込みを防止できる。外容器１１の吐出口４２をラッパ状とすることにより、外容器１１の吐出口４２の液切れ性が良くなる。
【００１７】
(4)結合部材３０に別部材の外ノズル４０を設けることにより、結合部材３０の形状をできるだけ単純化しながら、結合部材３０に外容器１１のための吐出口４２を備えることができる。
【００１８】
（その他の作用）
(5)外ノズル４０と内ノズル３３を同心状に配置したから、容器１０の傾き角度を同じとする限り、使用者による容器１０の周方向握り位置に関係なく、外容器１１の剤Ａと内容器２１の剤Ｂをそれぞれ、それらのノズル４０、３３の周方向のどの部分からも一定の吐出量割合で同時に吐出させることができる。
【００１９】
(6)外容器１１と内容器２１を同心状に配置したから、容器１０の傾き角度を同じにする限り、使用者による容器１０の周方向握り位置に関係なく、外ノズル４０の吐出口４２に及ぶ外容器１１の剤Ａと、内ノズル３３の吐出口３４に及ぶ内容器２１の剤Ｂのそれぞれを、それらの外容器１１と内容器２１の周方向のどの部分でも同等吐出量にし、外容器１１の剤Ａと内容器２１の剤Ｂをそれぞれ、それらのノズル４０、３３の周方向のどの部分からも一定の吐出量割合で同時に吐出させることができる。
【００２０】
(7)内ノズル３３を外ノズル４０より外方に突出させたから、内ノズル３３から吐出される剤Ｂは外ノズル４０の前方を落下し、内容器２１の剤Ｂが外容器１１に侵入するのを防止できる。
【００２１】
(8)性質の異なる剤Ａ、Ｂのそれぞれを外容器１１と内容器２１から一定の吐出量割合で同時に計量キャップ５０に吐出させ、両剤Ａ、Ｂを一定の混合割合で混合させることができる。
【００２２】
(9)内ノズル３３が備える流通ガイド３７は、内ノズル３３への剤Ｂの充填時の挿入ガイド、内ノズル３３からの剤Ｂの吐出時の空気置換ガイドとして機能する。
【００３１】
本発明の容器は、外容器に外ノズルを一体成形し、内容器に内ノズルを一体成形し、それらの外容器と内容器を単一の結合部材により結合するものでも良い。
【００３２】
また、本発明の容器は、３剤以上の多数剤を同時吐出できるように、最外層の外容器と最内層の内容器の間に１以上の中間内容器を備えるものでも良い。
【００３３】
また、本発明の容器は、外容器が容器の外郭を形成するだけの機能をなし、内容物を収容してこれを吐出することのないものにおいても採用できる。
【００３４】
【発明の効果】
以上のように本発明によれば、外容器に内容器を結合した容器において、内容器の脱落を防止することができる。
【図面の簡単な説明】
【図１】  図１は第１実施形態の容器を示す分解図である。
【図２】  図２は第１実施形態の容器の要部断面図である。
【符号の説明】
１０  容器
１１  外容器
２１  内容器
３０  結合部材
３３  内ノズル
３４  吐出口
４０  外ノズル
４２  吐出口
【図１】
0003711491.tif 000002
【図２】
0003711491.tif 000003